(57)【要約】【課題】外気温が下がったときに無駄な運転をしないで消費電力を節約し、また、オーガ製氷部、ギヤドモータへの過負荷を抑えて製氷機の損傷を防止し、機械の寿命を延したオーガ形製氷機を提供する。【解決手段】受水槽１３と、オーガ製氷部１８と、破砕部２４と、蓄氷部３０とからなるオーガ形製氷機Ｍにおいて、機械室に温度センサを付設し、検出温度が設定温度以下になると冷媒圧縮機と凝縮器ファンモータが間欠運転に移行し、設定温度＋α度になると連続運転に移行するようにする。上記間欠運転は運転開始後、機械室の温度が安定するまでは移行しない、上記間欠運転移行後の運転−停止時間帯は、運転時間を１０〜９０分、停止時間を５〜１５分の範囲内で設定する。上記連続運転から間欠運転への移行、または間欠運転から連続運転への移行は、検出温度が設定温度に到達したのち一定のタイムラグを介してなされる。【選択図】図１
2007192512.tif 000002
【特許請求の範囲】
【請求項１】
受水槽（１３）と、この受水槽（１３）から給水管（１７）を経て給水された浄水を結氷させながら送り出すオーガ製氷部（１８）と、送り出された氷を砕く破砕部（２４）と、破砕された氷片を蓄積する蓄氷部（３０）と、冷媒圧縮機と凝縮器とファンモータを配した機械室とからなるオーガ形製氷機（Ｍ）において、上記機械室に温度センサを付設し、この温度センサからの検出温度がマイコンの設定温度になると機械室の運転が間欠運転に移行し、マイコンの設定温度＋α℃になると連続運転に移行することを特徴とするオーガ形製氷機。
【請求項２】
上記間欠運転は、製氷機の運転開始後、機械室の温度が安定状態に入るまでは移行しないようにしたことを特徴とする請求項１に記載のオーガ形製氷機
【請求項３】
上記間欠運転移行後の運転時間帯および停止時間帯は、運転時間を１０〜９０分、停止時間を５〜１５分の範囲内に設定したことを特徴とする請求項１または２に記載のオーガ形製氷機。
【請求項４】
上記連続運転から間欠運転への移行、または間欠運転から連続運転への移行は、設定温度を温度センサからマイコンが検出したのち、一定のタイムラグを介して行われるようにしたことを特徴とする請求項1乃至３のいずれかに記載のオーガ形製氷機。
【請求項５】
上記間欠運転から連続運転への移行は、温度センサからの検出温度がマイコンの設定温度にα℃を上乗せした温度になって開始されることを特徴とする請求項１乃至４のいずれかに記載のオーガ形製氷機。
【発明の詳細な説明】
【技術分野】
【０００１】
この発明は、オーガ形製氷機であって、外気温の変化に対応して効率的運転と、製氷機構への過負荷を軽減したオーガ形製氷機に関する。
【背景技術】
【０００２】
オーガ形製氷機の先行技術として特許文献１があり、この先行技術は、オーガ形製氷機の運転プログラムに従って、冷媒圧縮機の運転停止、排水・給水を周期的に行うことにより機内に堆積する不純物を一定時間毎に自動的に洗い流すようにしたものである。
【０００３】
【特許文献１】特開２００２−０４８４４３号公報（要約および選択図面）
【発明の開示】
【発明が解決しようとする課題】
【０００４】
上記先行技術のオーガ形製氷機では、機内に堆積する不純物を自動的に排出する効果を得ることができるが、外気温が低下し、かつ、氷の消費が少なくなったときに、無駄な運転を続けることとなり、オーガ製氷部が氷によって固められた状態になり、オーガに回転力を与えるギヤドモータに大きな負荷が掛るようになり、また、回転軸に対する負荷も大きくなってオーガ形製氷機の損傷あるいは寿命が短くなる問題を抱えている。
【０００５】
上記従来技術の問題に鑑みこの発明は、外気温が下がったときに無駄な運転をしないで消費電力を節約し、また、オーガ製氷部への過負荷を抑えて製氷機の損傷を防止し、機械の寿命を延したオーガ形製氷機を提供することを課題とする。
【課題を解決するための手段】
【０００６】
上記課題を解決するためにこの発明は、受水槽１３と、この受水槽１３から給水管１７を経て給水された浄水を結氷させながら送り出すオーガ製氷部１８と、送り出された氷を砕く破砕部２４と、破砕された氷片を蓄積する蓄氷部３０と、冷媒圧縮機と凝縮器とファンモータを配した機械室とからなるオーガ形製氷機（Ｍ）において、上記機械室に温度センサを付設し、この温度センサからの検出温度がマイコンの設定温度になると機械室の運転が間欠運転に移行し、設定温度＋α度になると連続運転に移行するようにしたものである。
【０００７】
上記間欠運転は、製氷機の運転開始後、機械室の温度が安定状態に入るまでは移行しないようにし、上記間欠運転移行後の運転時間帯停止および停止時間帯は、運転時間を１０〜９０分、停止時間を５〜１５分の範囲内に設定し、上記連続運転から間欠運転への移行、または間欠運転から連続運転への移行は、マイコンの設定温度を温度センサが検出したのち、一定のタイムラグを介して行われるものであり、上記間欠運転から連続運転への移行は、温度センサの検出温度がマイコンの設定温度にα℃を上乗せした温度になって開始するものである。
【発明の効果】
【０００８】
上記の如く構成するこの発明によれば、外気温が低くなると間欠運転に移行して無駄な運転を排除して消費電力を節約し、ギヤドモータやオーガ製氷部への過負荷を無くして機械の損傷防止と機械の寿命延長の効果が得られる。
【発明を実施するための最良の形態】
【０００９】
図２はオーガ形製氷機の構成図で、浄水の管路にコネクタ１０によって導管１１が接続されソレノイドバルブ１２を経て受水槽１３に浄水が供給され、受水槽１３には溢水管１４と波消し板１５および水位検知センサ１６が設けられている。
【００１０】
受水槽の下部から給水管１７が延びオーガ製氷部１８に給水され、オーガ製氷部はギヤドモータ１９によりオーガ２０が回転しシリンダ２１の外側に配置された冷却管２２により冷却され、浄水は結氷しながら上方に送られる。なお、２３は断熱材である。
【００１１】
結氷しながら上方に送り出された氷は砕氷部２４で砕かれて氷片となり蓄氷タンク３０に送り込まれる。なお、２５ａから２５ｅまでは排水ホースで、２６は排水皿、２７は排水口、２８は排水管路である。
【００１２】
上記オーガ形製氷機の冷媒圧縮機、凝縮器ファンモータ等を設置した図示しない機械室に（好ましくは凝縮器の吸い込み口）温度センサを設置する。マイコンには、冷媒圧縮機の運転を開始した後、機械室温度が安定するまでの時間帯を設定するための時計回路が付設されている。この時間帯は製氷機の大きさ、設置されている環境条件によって適宜変更される。この時間帯を設けるのは、機械室の温度が不安定な状態で間欠運転モードに切り替わると制御が不安定となるからである。
【００１３】
上記時間帯の経過後にマイコンを作動させる形態の他に、冷却管２２の冷媒出口側に付設された、上記温度センサとは別の温度センサによるマイコンへの入力から、冷却管２２の出口温度の温度勾配がなだらかになったことをもって各機器の温度が安定したとみなしてもよい。
【００１４】
図１に示すように、マイコンのボリューム抵抗ＶＲ３は、１６〜２８℃（２度刻み）に設定されるようになっており、設定温度以下の温度が連続１分以上続いた後に間欠運転モードに移行するようになっている。従って上記温度センサの出力側には時計回路が付設されており、設定温度(以下）検出と同時に時計回路が働き連続１分経過後に間欠運転モードに移行するが、設定温度(以下）が継続しないとき時計回路はキャンセルされる。なお、このような処置を採るのは、移行時のハンチングを防止するためである。
【００１５】
間欠運転モードに移行するとボリューム抵抗ＶＲ１の設定値（時間）１０〜９０分（１０分刻み）間製氷運転（冷媒圧縮機およびファンモータの運転）を行い、上記設定時間が経過するとボリューム抵抗ＶＲ２の設定値（時間）５〜１５分（１分刻み）間製氷運転（冷媒圧縮機およびファンモータの運転）を停止し、この運転状態を繰り返す。なお、同図に示すように間欠運転モードに移行した後もギヤドモータ１９（図２参照）とともにオーガ２０は連続運転されている。
【００１６】
外気温が上記ボリューム抵抗ＶＲ３の設定温度（１６〜２８℃）＋α℃（αは３〜８℃の範囲で設定できる）になり、その状態が１分間継続したときは連続運転モードに移行する。なお、ここでいう＋α℃は、温度上昇のときだけ作動する回路を構成し、たとえば、上記センサの代わりに０℃に相当するダミー抵抗を挿入することにより、周囲温度に関係なく、強制的に間欠運転に移行することができる。
【００１７】
上記連続運転モードから間欠運転モードに切り替えるとき、また、その逆のときに、１分間のタイムラグを設定しているが、この時間帯は製氷機の大きさや設置場所によって適宜変更することができる。
【産業上の利用可能性】
【００１８】
以上説明したようにこの発明によれば、外気温が下がったときに無駄な運転をしないで消費電力を節約し、また、オーガ製氷部、ギヤドモータへの過負荷を抑えて製氷機の損傷を防止し、機械の寿命を延すことができ、氷片の安定供給ができる。
【図面の簡単な説明】
【００１９】
【図１】本発明に係るオーガ形製氷機の制御プログラム
【図２】オーガ形製氷機の構成図
【符号の説明】
【００２０】
１０  コネクタ
１１  導管
１２  ソレノイドバルブ
１３  受水槽
１４  溢水管
１５  波消し板
１６  水位検知センサ
１７  給水管
１８  オーガ製氷部
１９  ギヤドモータ
２０  オーガ
２１  シリンダ
２２  冷却管
２３  断熱材
２４  砕氷部
２５ａ，２５ｂ，２５ｃ，２５ｄ，２５ｅ  排水ホース
２６  排水皿
２７  排水口
２８  排水管路
２９  三口接続管
３０  蓄氷タンク
【図１】
2007192512.tif 000003
【図２】
2007192512.tif 000004